(57)【要約】【課題】  本考案は人体を上に仰臥させることにより仙骨（６、１３）、脊椎（７）、腸骨（１２）の相互のズレを正す施療を行う脊椎アジャスト台である。【解決手段】  仰臥位の人体の仙骨底部（１０）を仙骨底台（１）の傾斜面（４）に、肩甲間部（８）を胸椎台（２）の傾斜面（５）に載せ、人体の重量を利用して脊椎に引っ張り力を掛けつつ、搖動をも有効に活用して腰椎５番（９）を背側（Ｓｂ）に、及び後方屈折状態（１５）に有る腰椎を彎曲状態に迄戻し、なお仙骨底部（１０）を腸骨（１２）に対して腹側（Ｓａ）に頷かせるものである。【選択図】図５
0003121314.tif 000002
【実用新案登録請求の範囲】
【請求項１】
仙骨底台（１）及び胸椎台（２）を使用時に脊柱に引張力を加えるために、対側に互いに逆方向の傾斜面（４）及び（５）を設け、克つ仙骨底台（１）及び胸椎台（２）を左右２枚ずつに分けて棘突起を避ける間隔に傾斜面（４）及び（５）を設置したことを特徴とする背椎アジャスト台
【請求項２】
使用者が痛くないように、傾斜面（４）及び（５）の表面に柔軟な部分を設けた請求項１の脊椎アジャスト台。
【請求項３】
脊柱の異常状態になった部分（１４）及び（１５）を空間に浮かせるために、脊椎アジャスト台の中間部分を、傾斜面（４）及び（５）並びにその周辺よりも低くした請求項１の脊椎アジャスト台。
【請求項４】
複数の傾斜面（４）及び（５）の底面（１６）からの高さを変える装置を設けた請求項１の脊椎アジャスト台。
【請求項５】
複数の傾斜面（４）及び（５）の間隔を変える装置を設けた請求項１の脊椎アジャスト台。
【請求項６】
複数の傾斜面（４）及び（５）に搖動装置を設けた請求項１の脊椎アジャスト台。
【請求項７】
折り畳みできる構造及び分解組み立てできる構造にして、携帯に便利にした請求項１の脊椎アジャスト台。
【考案の詳細な説明】
【技術分野】
【０００１】  本考案は、異常な腰椎を持つ人体を仰臥させ、当該異常部分（１４）及び（１５）よりも足方（Ｓｄ）にある左右の仙骨底部（１０）と、当該異常部分（１４）及び（１５）よりも頭方（Ｓｃ）にある胸椎の両側の肩甲間部（８）とに互いに逆の傾きを持つ傾斜面（４）及び（５）を当て、当該異常部分（１４）及び（１５）を傾斜面（４）及び（５）の間の空間に浮かせるように、更に腸骨（１２）をも空間に浮かせるように作った脊椎アジャスト台に関するものである。
【背景技術】
【０００２】  従来、当該脊椎アジャスト台が施療の対象としている不具合が生じた時には、鎮痛処置、手術、枕状のものを腰部に挿入して仰臥、牽引、ベルトの装着などの他周辺の組織の炎症への及び拘縮への処置、或いは体操などを行っていた。
【考案の開示】
【考案が解決しようとする課題】
【０００３】      （イ）  腰椎５番（９）は前傾する仙骨（１３）の頭方（Ｓｃ）にあるため、体重            の重力（Ｆ３）は立位で腰椎５番（９）を腹側（Ｓａ）に滑走させる力（Ｆ            ４）と仙骨底（１０）の面に垂直に加わる力（Ｆ５）とに分散される。この            腹側（Ｓａ）に滑走させる力（Ｆ４）は、しばしば現実に腰椎５番（９）を            仙骨底（１０）に対して腹側（Ｓａ）に滑らせ、腰椎５番（９）と仙骨（１            ３）とで構成する腰仙関節に段差（１４）を生じさせてしまう。
（ロ）  また腰椎は通常前彎しているため体重（Ｆ３）の影響を受けて、時として            椎間関節に後方屈折の状態（１５）をひきおこす。
（ハ）  更に仙骨底（１０）が腸骨（１２）に対して背側（Ｓｂ）に移動する。
これらは同時に起こることもあれば一部に止まることもある。【０００４】  これらが原因となって、数多くの不具合を引き起こす。症状に急性・慢性の、或いは刺激痛・鈍痛などの違いは有るものの、主なものは腰、大腿、膝、下腿、足首、足などの痛み、痺れ、冷えなどである。【０００５】  また、現れる症状は概ね、体の動作・作業に差し支える、仰臥で眠れない、歩きにくい、足の裏が痺れる、などであり、軽度のものから重度のものまで様々である。【０００６】  手術による処置については、二の足を踏まざるを得ず、その他については何れも持続的効果を得がたいというのが現実であり、不具合を抱えたまま生活している人が多いのが現状である。
【課題を解決するための手段】
【０００７】  本考案は、異常な状態を呈した腰椎に、その状態を重力で是正できる向き及び部位で人体を支持し、重力を利用し、及び搖動をも加えて異常な状態を是正するものである。【０００８】  仙骨底台（１）の左右２枚の厚さ及び間隔は、夫々が上後腸骨棘（１１）と仙骨一番の棘突起との間に収まる寸法に製作する。【０００９】  胸椎台（２）の左右２枚の厚さ及び間隔は、夫々が肩甲間部（８）に収まる寸法に製作する。【００１０】  仙骨底台（１）と胸椎台（２）とには、夫々遠位に相対する端部に、互いに逆の方向への傾斜をつけて、傾斜面（４）及び（５）とし、上面に仰臥したときに脊柱に引っ張り力を与える構造とする。【００１１】  仙骨底台（１）と胸椎台（２）との中間部は、傾斜面（４）、（５）及びその周辺よりも高さを低くして、異常な状態を呈した腰椎に、重力が掛かりやすい構造とする。
【考案の効果】
【００１２】  本考案の脊椎アジャスト台の上面に人体と接触させる傾斜面（４）及び（５）を設け、人体の仙骨底（１０）を傾斜面（４）に、及び肩甲間部（８）を傾斜面（５）に載せて施療することにより、腰椎５番（９）が腹側（Ｓａ）へ滑走して仙骨（６，１３）との間にできた段差（１４）を戻し、腰椎の後方屈折部（１５）を正常状態に、及び仙骨底（１０）の腸骨（１２）に対する背側（Ｓｂ）への移動を正常な位置にアジャストして効果を上げている。
【考案を実施するための最良の形態】
【００１３】  仙骨底台（１）の２箇所の傾斜した面（４）を人体の左右の上後腸骨棘（１１）の内側の仙骨底（１０）に当て、腰椎５番（９）が腹側（Ｓａ）に滑走して仙骨（６、１３）との間にできた段差部（１４）、および腰椎（７）の後方屈折部（１５）とを空間に浮かせる。この時左右の腸骨（１２）も空間に浮いている。【００１４】  胸椎台（２）を設置せず、仙骨底台（１）だけの構造とするならば、仙骨底台（１）の傾斜面（４）だけでは、当該仙骨底台（１）が頭方へズリ上がってしまうので、胸椎台（２）を付け加えて、傾斜面（５）に肩甲間部（８）を頭方寄りから当てて、ズリ上がりを防ぐと共に、脊柱を引き伸ばす力（Ｆ１）（Ｆ２）とし、及び腰椎の異常な部分（１４）（１５）がキチンと空間に浮いている様にしたものである。【００１５】  左右２枚の仙骨底台（１）同士及び同じく左右２枚の胸椎台（２）同士の間隔が異なるのは、人体の仙骨底（１０）の左右の接触点の間隔及び左右の肩甲間部（８）の間隔に夫々合わせるためである。【００１６】  スペーサー（３）を配置する位置大きさ及び数は、それぞれ２枚の仙骨底台（１）及び胸椎台（２）を夫々の間隔及び強度を保って結合できれば、任意に設定してよいものである。【００１７】  当該脊椎アジャスト台は仙骨底台（１）胸椎台（２）及びスペーサー（３）の合計５個の部材から出来ているが、この形であれば必ずしも５個であるを要せず、数個の、或いはプラスチックモールドなどによる一体成型を選択することも可能である。【００１８】  複数の傾斜面（４）及び（５）の底面（１６）からの高さを変える方法には、
（イ）  スクリュウねじを用いる方法。
（ロ）  シムを挿入する方法。
（ハ）  勾配を持つブロックに分割して、勾配に沿わせて摺動させる方法。
などがある。【００１９】  複数の傾斜面（４）及び（５）の間隔を変える方法には、
（イ）  最適な寸法を確定して固定する方法。
（ロ）  スクリュウねじを用いる方法。
（ハ）  歯車機構を用いる方法。
（ニ）  クランク機構を用いる方法。
（ホ）  流体及びシリンダー・ピストンを用いる方法。
（ヘ）  リンク機構を用いる方法。
（ト）  カム機構を用いる方法。
（チ）  つめ機構を用いる方法。
（リ）  摩擦伝動装置を用いる方法。
（ヌ）  ばねを用いる方法。
（ル）  蝶番を用いる方法。
などがある。【００２０】  単数の或いは複数の傾斜面（４）及び（５）に搖動を与える方法には、
（イ）  スクリュウねじを用いる方法。
（ロ）  歯車機構を用いる方法。
（ハ）  クランク機構を用いる方法。
（ロ）  流体及びシリンダー・ピストンを用いる方法。
（ホ）  リンク機構を用いる方法。
（ヘ）  カム機構を用いる方法。
（ト）  つめ機構を用いる方法。
（チ）  摩擦伝動装置を用いる方法。
（リ）  ばねを用いる方法。
（ヌ）  蝶番を用いる方法。
（ル）  機械ハンマーを用いる方法
（ヲ）  ソレノイド（電磁石）を用いる方法。
（ワ）  モーター（電動機）を用いる方法。
などがある。【００２１】  折り畳み及び分解組み立てする方法には
（イ）  ボルトナットを用いる方法
（ロ）  リンクを用いる方法
（ハ）  はめ込ませる方法
などがある。
【産業上の利用可能性】
【００２２】  以下、添付図面に従って一実施例を説明する。仰臥した際の人体と当該脊椎アジャスト台との人体から見た左右の関係位置であるが、左右２枚の仙骨底台（１）の中間の間隙に仙骨の棘突起を、及び左右２枚の胸椎台（２）の中間の間隙に一連の胸椎の棘突起を沿わせて、また同じく仰臥した際の頭方（Ｓｃ）及び足方（Ｓｄ）の関係位置は、仙骨底（１０）を仙骨底台（１）の傾斜面（４）にきちんと載せれば、人体の肩甲間部（８）は、長さがあり、胸椎台（２）の傾斜面（５）も長さがあるため、長さ方向の許容度が増し、なおかつ殿部及び頚肩部が軽くベッドに着いて夫々に体重を支えるので、Ｆ１とＦ２の力は等しくなり、殆どの場合に収まり良くバランスの取れた施療姿勢を作れるのである。
このようにして腰椎のズレをアジャストする脊椎アジャスト台である。【００２３】  症状的には小康を得つつも慢性化を辿っている人が多いのが現状である。当該脊椎アジャスト台を用いて施療することにより、多くの人々が比較的短期間に軽快することが期待できるものである。
【図面の簡単な説明】
【００２４】
【図１】  本考案の脊椎アジャスト台の実施例を示す平面図である。
【図２】  本考案の脊椎アジャスト台の実施例を示す立面図である。
【図３】  本考案の脊椎アジャスト台の実施例を示す立面図（図２）に矢印で示す一部切欠断面図である。
【図４】  仙骨底に掛かる体重のベクトル図である。
【図５】  本考案の脊椎アジャスト台の実施例を示す鳥瞰図である。
【図６】  使用状態での脊椎の模式図である。
【図７】  明細書で用いている人体の部位に関する概略の位置図である。
【符号の説明】
【００２５】  １  仙骨底台
２  胸椎台
３  スペーサー
４  仙骨底台（１）の傾斜面
５  胸椎台（２）の傾斜面
６  仙骨の模式図
７  脊椎の模式図
８  肩甲間部
９  腰椎５番
１０  仙骨底
１１  上後腸骨棘
１２  腸骨
１３  仙骨
１４  腹側（Ｓａ）に滑走した腰椎５番（９）と仙骨（６，１３）との間にできた段差
１５  後方屈折の状態を引き起こした椎間関節
１６  底面
Ｆ１  仙骨底台（１）の傾斜面（４）を介して脊柱に掛かる引っ張り力
Ｆ２  胸椎台（２）の傾斜面（５）を介して脊柱に掛かる引っ張り力
Ｆ３  仙骨底に掛かる体重の重力
Ｆ４  体重が腰椎５番（９）を腹側（Ｓａ）に滑走させる分力
Ｆ５  体重が仙骨底（１０）に垂直に掛かる分力
Ｆ６  傾斜面（４）及び（５）の中間にあって、異常な腰椎の部分に掛かる体重の重力
Ｓａ  腹側
Ｓｂ  背側
Ｓｃ  頭方
Ｓｄ  足方
【図１】
0003121314.tif 000003
【図２】
0003121314.tif 000004
【図３】
0003121314.tif 000005
【図４】
0003121314.tif 000006
【図５】
0003121314.tif 000007
【図６】
0003121314.tif 000008
【図７】
0003121314.tif 000009